(57)【要約】【課題】テントの排水機能を維持してその取付部材の転倒を防止する。【解決手段】テント１は、多数の取付部材２のＸ方向にほぼ水平で一直線状の上梁２１のテント取付部２１ａに取り付けられる頂部１１と、これらの間に形成される谷部１２と備えている。谷部１２は、Ｘ方向の中心の上位置Ｐ１  から下位置Ｐ２  まで下向きに傾斜している。取付部材２は上梁２１の下に斜材２２及び下梁２３を備えていて、上梁２１の張出部２１ｂに取り付けられレール１０を走行する車輪３を有し、テントはこの車輪の走行によって開閉される。【効果】谷部が山形になっているのでテントに雨水が溜まらない。テント取付部が水平の一直線状であるため、これから下に補強材や安定材を配置でき安定性が良く、移動式テント装置でもその転倒防止が容易である。【選択図】        図１
2004308333.tif 000002
【特許請求の範囲】
【請求項１】
互いに平行で間隔を空けて配置される複数の取付部材に取り付けられるテントにおいて、
前記取付部材が長さ方向にほぼ水平で一直線状のテント取付部を備えていて該テント取付部に取り付けられる被取付部と前記テント取付部に取り付けられたときに前記被取付部の間に形成される底部分であって前記長さ方向の中心に近い範囲内の上側位置から前記長さ方向の両端の下側位置まで下向きに傾斜した底部分とを有することを特徴とするテント。
【請求項２】
互いに平行で間隔を空けて配置される複数の取付部材に取り付けられたテントと前記取付部材と車輪とを有するテント装置において、
前記取付部材は、長さ方向にほぼ水平で直線状で前記テントが取り付けられたテント取付部と前記テント取付部の前記長さ方向の外側に設けられ前記車輪が取り付けられた張出部とを備えていて、
前記テントは、前記テント取付部に取り付けられる被取付部と前記テント取付部に取り付けられたときに前記被取付部の間に形成される底部分であって前記長さ方向の中心に近い範囲内の上側位置から前記長さ方向の両端の下側位置まで下向きに傾斜した底部分とを備えていて、
前記車輪は前記長さ方向に直角な幅方向に転がり移動が可能なように前記張出部に取り付けられていて固定構造物から支持されている、
ことを特徴とするテント装置。
【請求項３】
前記取付部材は、前記張出部の前記幅方向への倒れに対して復元力を与えるように前記車輪と前記固定構造物との接触部より下方に設けられた復元用部材を有することを特徴とする請求項２に記載のテント装置。
【発明の詳細な説明】
【０００１】
【発明の属する技術分野】
本発明は、互いに平行で間隔を空けて配置される複数の取付部材に取り付けられるテント及びこのようなテントと取付部材と車輪とを有するテント装置に関するものであり、特に移動式のテントとして好都合に利用される。
【０００２】
【従来の技術】
屋外の資材置き場等に設置されているテントは、雨避けとして使用されるように、通常山形やアーチ型の骨組みに屋根を形成するように張られていて、雨水が溜まることなく傾斜面から流れ落ちる形状になっている。しかしながら、このような形状にテントを張るテント装置では、骨組みとこれに張られたテントが上方に突出しているため、不安定で転倒しやすいという問題があった。
【０００３】
特に、骨組を多数並列させてそれぞれの骨組みに車輪をつけてレール上を移動させるようにした移動式のテント装置では、図８に示すように、骨組１０ａ及び車輪３をレール１０の方向に２列にして幅ｂを持たせた構造にしても、一方の車輪が浮き上がり他方の車輪が転がって転倒し易く、車輪間隔ｂを狭くして転倒を防止できる構造が難しいという問題があった。
【０００４】
【発明が解決しようとする課題】
本発明は従来技術における上記問題を解決し、テントに排水機能を持たせつつ、転倒を確実に防止し、特に移動式テントに好都合に利用されるテント及びテント装置を提供することを課題とする。
【０００５】
【課題を解決するための手段】
本発明は上記課題を解決するために、請求項１の発明は、互いに平行で間隔を空けて配置される複数の取付部材に取り付けられるテントにおいて、
前記取付部材が長さ方向にほぼ水平で一直線状のテント取付部を備えていて該テント取付部に取り付けられる被取付部と前記テント取付部に取り付けられたときに前記被取付部の間に形成される底部分であって前記長さ方向の中心に近い範囲内の上側位置から前記長さ方向の両端の下側位置まで下向きに傾斜した底部分とを有することを特徴とするテント。
【０００６】
請求項２  の発明は、互いに平行で間隔を空けて配置される複数の取付部材に取り付けられたテントと前記取付部材と車輪とを有するテント装置において、
前記取付部材は、長さ方向にほぼ水平で直線状で前記テントが取り付けられたテント取付部と前記テント取付部の前記長さ方向の外側に設けられ前記車輪が取り付けられた張出部とを備えていて、
前記テントは、前記テント取付部に取り付けられる被取付部と前記テント取付部に取り付けられたときに前記被取付部の間に形成される底部分であって前記長さ方向の中心に近い範囲内の上側位置から前記長さ方向の両端の下側位置まで下向きに傾斜した底部分とを備えていて、
前記車輪は前記長さ方向に直角な幅方向に転がり移動が可能なように前記張出部に取り付けられていて固定構造物から支持されている、
ことを特徴とする。
【０００７】
請求項３の発明は、上記に加えて、前記取付部材は、前記張出部の前記幅方向への倒れに対して復元力を与えるように前記車輪と前記固定構造物との接触部より下方に設けられた復元用部材を有することを特徴とする。
【０００８】
【発明の実施の形態】
図１乃至図３は本発明を適用したテント及び移動式のテント装置の構成例を示す。そのうちの図１は、テント１を開いたときの状態を上から見た斜視図であり、図２はテント装置の全体配置の側面及び平面状態を示す。図３（ａ）はテント装置の取付部材２の左半分の断面状態を示し、その中の太い二点鎖線及び細い二点鎖線は、それぞれテント１の開及び閉時の取付部材２の間の中央部の断面形状を示す。図３（ｂ）〜（ｄ）及び（ｅ）〜（ｇ）は、それぞれテント開及び閉時の（ａ）の▲１▼〜▲３▼の断面状態を示す。なお、実際には、テント閉時にはそれぞれの取付部材２がほぼ接触するが、（ｅ）〜（ｇ）では、図を分かりやすくするために少し開いた状態を示している。
【０００９】
テント１は、互いに平行で開いているときに間隔Ｄを空けて配置される複数の取付部材として図１、２の例では多数の取付部材２に取り付けられるように形成されている。そして、取付部材２が長さ方向であるＸ方向にほぼ水平で一直線状のテント取付部として上梁２１のテント取付部２１ａを備えていて、テント１は、テント取付部２１ａに取り付けられるようにＸ方向にほぼ水平で一直線状の被取付部としての頂部１１と、テント取付部２１ａに取り付けられたときに頂部１１の間に形成される底部分である谷部１２と備えている。
【００１０】
この谷部１２は、Ｘ方向の中心である中心線Ｏ−Ｏの位置に近い範囲内の上側位置として本例では中心線Ｏ−Ｏと谷部１２との交点になる上位置Ｐ１  から谷部１２のＸ方向の両端の下側位置である下位置Ｐ２  まで下向きとして上下Ｚ方向の下向きのＺ１  方向に傾斜している。
【００１１】
テント装置は、本例では大型の移動式テント装置になっていて、上記テント１と前記取付部材２と車輪３とを有する。取付部材２は、主として図３に示す如く、テント１が取り付けられた前記テント取付部２１ａと、車輪３が取り付けられるようにテント取付部２１ａのＸ方向の外側に設けられた張出部として、本例では上梁２１の両端の延長部からなる張出部２１ｂとを備えている。なお、全部の取付部材２の上梁２１の張出部が車輪３を介してレール１０で支持されるが、図１では張出部２１ｂの部分を両側の一か所だけに示している。
【００１２】
車輪３は、図４（ａ）にも示す如く、Ｘ方向に直角な幅方向であるＹ方向に転がり移動が可能なように前記張出部２１ｂに取り付けられていて、固定構造物として本例では後述する倉庫１００からレール１０等を介してレール１０で支持されている。
【００１３】
取付部材２は、張出部２１ｂのＹ方向への倒れに対して復元力を与えるように、本例では、車輪３とレール１０との接触部であるレール表面１０ｆの位置より下方に設けられた復元用部材を有する。そのため本例では、取付部材２をテント取付部２１ａから下向きのトラス構造にして、上梁２１に取り付けらた斜材２２及びこれに取り付けられた下梁２３を復元用部材としている。上下梁２１、２３及び斜材２２には、それぞれ角材及び主としてパイプが用いられている。なお、上下梁はパイプ等であってもよく、又、斜材は角材等であってもよい。又、復元用部材としては、トラス構造に代えて、Ｉ形や角形等の断面を持つ他の適当な構造用材料を用いることができる。
【００１４】
このような取付部材２に対して、テント１は、詳細図示を省略しているが、取付部材２の上梁２１に被せられこれに縫い付けるように取り付けられていて、下方に垂れ下がった形状になっている。テントを開いたときには、前記中心線Ｏ−Ｏのテント中心部分１３がある程度の張力で張られた状態になっている。
【００１５】
又本例では、テントのばたつきを規制する規制部材として、両端の下位置Ｐ２  の部分から近い一定範囲の所にテント１にある程度の重みをつけるように塩ビ管等の適当な重さのパイプ状の重り１４が取り付けられている。なお、重り１４は谷部１２の全てに設けられるが、図１では１つだけを図示し他のものを省略している。
【００１６】
このように重り１４を設けることにより、テント中心部分１３の張力による張りと両端側部分の重り１４による張りとにより、谷部１２が中央から両端に傾斜して変化する垂れ下がり形状を維持することになる。そして、テント１の風によるばたつきも防止される。
【００１７】
なお、重り１４は必ず必要であるというものではなく、風当たりの弱い場所や結露防止用に屋内に設置されるテント等では重り１４を省略することが可能である。又、重り１４に代えて、テントの両端の側部が開閉可能で一定形状を保つようにその部分に固体の棒状のものを取り付けるようにしてもよい。又、重り１４はパイプ状のものに限らず、吊り下げたもの等他の適当な形状のものにされてもよい。
【００１８】
本例のテント装置は、図２に示す如く、Ｘ方向の長さＬとＹ方向の全幅Ｂとで形成された一定範囲の水平面であるＬ×Ｂの範囲を覆うように設けられている。このようなテント装置は、固定式又は移動開閉式で小形から大形まで各種の形状や大きさのものとして製造されるが、本例の装置は、前記の如く大形でテントが開閉する移動式のテント装置である。
【００１９】
この装置では、Ｙ方向に取付部材２が多数組配設されていて、テント１が開いて張られたときの取付部材２のテント１の開間隔Ｄは１．６ｍであり、長さＬは約１６ｍで全幅Ｂは約６０ｍである。そして、テント１は、開いているときには１６ｍ×６０ｍの範囲を覆う大サイズのものであり、Ｘ方向の両側の既設の倉庫１００から張り出した屋根２００の間の通路部分３００の上方を開閉可能に覆うように設けられている。
【００２０】
そのため、テント装置支持用の固定トラス４００及びその支持フレーム５００が両側の倉庫１００の壁面１０１から張り出すように設けられている。図２（ｂ）の上部にはそれぞれテント収納スペース６００及びテント開閉用のウインチ等の機械類を配置する装置スペース７００が設けられている。これらのスペースの上方には図示していないがテント１と同様な形状の固定テントが取り付けられている。
【００２１】
テント１及び取付部材２のＹ方向の両端には、図５に示すような形状のテント開閉用の先端構造体４及び後端構造体５が設けられている。屋根２００とテント１との間隔部分には雨除け用に陣笠８００が被せられている。図１に示すテント１の両端の下位置Ｐ２  の部分の下には、図示していないがＹ方向に樋が敷設されている。そのため、テント１の両端のＰ２  位置の部分を上戸のように窄めて排水口１５にしている。
【００２２】
図４乃至図６はテントを開閉可能にするための構造部分を示す。
車輪３は、前記の如く上梁２１の両端部分の張出部２１ｂに取り付けられていて、張出部２１ｂに形成されたケース３１、これに支持された軸３２、これに回転自在に装着されたローラ３３、等によって構成されている。ローラ３３は、前記レール１０上にこれを抱えるように乗せられている。ケース３１のうち車輪３の走行方向であるＹ方向の一方側には、テント１を閉めるときの取付部材２の位置を定めるためのストッパー３４が取り付けられている。
【００２３】
又、必要に応じて、車輪３及び取付部材２のレール１０からの浮き上がりを阻止する押さえ板９００が設けられる。この場合、取付部材２の上梁２１が直線状であるため、このように押さえ板の取り付けが容易になる。
【００２４】
レール１０は、テント支持用の固定トラス４００の先端部をなす角材４０１に取り付けられていて、図２に示すようにＹ方向にテント収納スペース６００の端まで敷設されている。又、先行端構造体４、５にも同じ構造の車輪３が取り付けられている。
【００２５】
先端構造体４は、図５に示す如く、本例では約１ｍの間隔でＸ方向に平行に配置された２本の横梁４１、これらを両端でＹ方向に結合した縦梁４２、これらに取り付けられレール１０に乗っている前記車輪３のローラ３３、縦梁４２からブラケット４３を介して下方に設けられたワイヤクランプ部４４、等で構成されている。ワイヤクランプ部４４は、ナットで締め付けて後述するテント開閉用のワイヤ６２を先端構造体４に掛止する装置である。なお、ワイヤクランプ部４４を除けば、先後端構造体４、５は同じものである。
【００２６】
テントの開又は閉は、先端構造体４をＹ１  方向又はＹ２  方向に移動させることによって行われる。この移動機構６は、図６に示す如く、エンドレスワイヤ式になっていて、装置スペース７００に設置され図示しないウインチのモータで回転可能にされた駆動側ワイヤドラム６１、これに巻き付けられると共にその両端から繰り出されているエンドレスのワイヤ６２、これを反転及びガイドする従動側ワイヤドラム６３、先端構造体４に取り付けられこれとワイヤ６２とを固定する前記ワイヤクランプ部４４、ワイヤ６２の中間部分を適当な間隔でガイドするように上梁２１の張出部２１ｂに車輪３と並設されている図示しないシーブ、等によって構成されている。
【００２７】
以上のようなテント及びテント装置は次のように使用されてその作用効果を発揮する。
前記の如く本例のテント装置は移動式になっていて、図６に示す如く、テント１を開くときには、駆動側ワイヤドラム６１を矢印で示す開方向に左回転させ、エンドレスワイヤ６２のうち上側のワイヤ６２ａを繰り出すと共に下側のワイヤ６２ｂを巻き取り、ワイヤ６２ａを図において右から左に引っ張り、ワイヤクランプ部４４を介して先端構造体４をその方向に動かし、図３（ｄ）〜（ｆ）のように寄せられた取付部材２を順次引っ張って行き、それぞれの間隔を開いてテント１を開いて行く。テント１を全開すると、図１、図２、図３（ｂ）〜（ｃ）及び図６の状態になる。
【００２８】
テント１を閉じるときには、駆動側ワイヤドラムを上記の反対に右回転させる。このときには、先端構造体４が左から右の方向に動き、取付部材２を車輪３のストッバー３４を接触させつつ取付部材２を寄せて行き、後端構造体５をテント収納スペース６００の端まで移動させ、取付部材２及びテント１をテント収納スペース６００内に収納する。
【００２９】
テント１は、図１に示すように開かれた状態では、そのテント中心部分１３が張られていて、その懸垂線状の中心になる上位置Ｐ１  から下位置Ｐ２  まで図示のように山形になった谷部１２が形成される。その結果、テント１の何れかの場所に落下した雨等の水は、谷部１２に入ってこの部分を流れ落ち、排水口１５からその下で受けている図示しない樋に流される。谷部１２は、雨水等が確実に流れるように、本例では１／１０程度の勾配を持つように形成されている。なお、図１のようなテントの形状は、重り１４によって良好に形成され維持される。
【００３０】
テント１が取り付けられた取付部材２の上梁２１のテント取付部２１ａはほぼ水平な一直線状になっていてテント１の頂部１１もそのように形成されているので、テントはこの位置から山形やアーチ形に上に出ることがない。そのため、取付部材２の安定性がよい。その結果、上梁２１の張出部２１ｂに車輪３を取り付けてレール３上を走行させるときにも、取付部材２の転倒による走行障害が発生しない。
【００３１】
この場合、本例の移動式のテント装置では、取付部材２として上梁に斜材２２と下梁２３を取り付けて下向きトラスを形成させ、それによって取付部材２の安定性を維持することにより、車輪３をＹ方向には１組だけ取り付け、取付部材２の幅を最小にしている。その結果、テントを閉じたときの収納スペースを最小にすることができる。
【００３２】
図７（ａ）は、この状態における取付部材の安定性の説明図である。
Ｙ方向の車輪３のローラ３３を１個だけにすると、そのローラ３３は一輪車になってレール１０とＱの位置で紙面に直角なローラの幅方向に線接触するため、取付部材２の安定性がなくなるが、その下方にトラスを形成させているので、全体の重心を上梁２１より十分下のＧ点まで下げることができる。その結果、取付部材２が傾いてその重心が距離ｓだけ移動したときに、レール１０で支持されるＱ点との間に矢印のような復元モーメントＭ＝Ｗｓが発生し、取付部材２の転倒が確実に防止される。Ｗはトラスの重量である。
【００３３】
なお本例では、上梁２１をそのまま延長して張出部２１ｂにしてこれに車輪３を取り付けているが、上梁２１をテント取付部２１ａまでにして、張出部をこれから上に上げ、上梁２１が車輪のローラ３３とレール１０との接触部より低い位置になるようにして、取付部材２の重心Ｇを更に下げて、その復元力を大きくしたりトラスの深さを浅くしてその材料を節約するようにしてもよい。
【００３４】
本例のテント装置では、上梁２１の長さが長いので、テント取付部２１ａをトラス構造にすることにより、そのＸ方向のたわみを十分小さくすることができるという効果がある。又、取付部材２を寄せてテント１を閉めたときに、テントのばたつきを防止できる効果もある。
【００３５】
なお、取付部材２をこのようなトラス構造にしない場合には、図７（ｂ）のように車輪３又はローラ３３を間隔ｄだけ離して２組又は２個設けることになる。しかしその場合でも、取付部材２の上にテント及びその支持材がないため、間隔ｄを十分小さくしても、取付部材２の安定性を得ることができる。即ち、図８に示す従来のテント取付用の骨組１０ａの間隔ｂを大幅に短縮し、テントを閉じたときのテントの収納スペースを大幅に減少させることができる。
【００３６】
【発明の効果】
以上の如く本発明によれば、請求項１の発明においては、テントが、互いに平行で間隔を空けて配置される複数の取付部材のテント取付部であって長さ方向にほぼ水平で一直線状のテント取付部に取り付けられる被取付部を備えているので、取付部材を従来のように山形やアーチ形にする必要がなく、その安定性を良くすることができる。
【００３７】
一方、テントの被取付部が山形等でなく一直線状であるため、被取付部の間隔を離してテントを張っても、それらの間の部分が一直線状より上に上がることはない。従って、この状態では、被取付部の間に形成される底部分に雨水等が溜まることになる。
【００３８】
これに対して、この底部分を、長さ方向の中心に近い範囲内の上側位置から長さ方向の両端の下側位置まで下向きに傾斜させているので、この底部分は、テントの被取付部より下の位置にはなるがその長さ方向に中心に近い範囲内の位置から両端側に下に下がった山形を形成する。
【００３９】
その結果、底部分が山形で下り傾斜の溝のような形状になり、テント上の何処かの場所に雨水等が落下したときに、それらはこの底部分に溜まることなく両端に流れ落ちる。その結果、テントは、被取付部自体を山形にすることなく、従ってテントの取付部材を山形にすることなくその安定性を良くしつつ、排水機能を保有することになる。この場合、底部分の上側位置を中心に近い範囲内の位置にしているので、上側位置から両方の下側位置までの勾配をほぼ同じにすることができるため、勾配を小さくし、テントの材料を節減することができる。
【００４０】
請求項２の発明においては、テント装置がテントと取付部材と車輪とを有し、テントを上記のような作用効果を持つ構成にしていると共に、取付部材を、テントが取り付けられ長さ方向にほぼ水平で直線状のテント取付部と、車輪が取り付けられるようにテント取付部の長さ方向の外側に設けられた張出部とを備えた構成にし、更に、車輪を、長さ方向に直角な幅方向に転がり移動が可能なように張出部に取り付けて固定構造物から支持される構成にしているので、テントを取付部材のうちのテント取付部に取り付け、テントが開閉してもこれと干渉しない張出部に取り付けられた車輪により、取付部材を固定構造部の上で移動させ、取付部材の間隔を伸縮させてテントを開閉することができる。
【００４１】
この場合、取付部材のテント取付部が長さ方向にほぼ水平で一直線状になっているので、従来のテント装置のように山形やアーチ形に上に高くなった部分がないため、取付部材の安定性が良い。その結果、移動式テント装置において取付部材を車輪で支持するときでも、取付部材の間隔を広くすることなくその転倒を防止することができる。その結果、テントを閉めたときのテントの占める面積を小さくし、テントを開閉時のそれぞれの用途に適したものにすることができる。
【００４２】
請求項３の発明においては、取付部材が、張出部の幅方向への倒れに対して復元力を与えるように、車輪と固定構造物との接触部より下方に設けられた復元用部材を有するので、取付部材の張出部を１個の車輪で一点支持状態にすることができる。その結果、取付部材の幅を最小にしてテントを閉めたときのテントの占有面積を最小にし、テントの使用条件を最適なものにすることができる。
【図面の簡単な説明】
【図１】本発明を適用したテントの開状態の斜視図である。
【図２】（ａ）及び（ｂ）は本発明を適用したテント装置の全体配置の側面図及び平面図である。
【図３】（ａ）は上記テント装置の取付部材の左半分の側面図、（ｂ）〜（ｄ）及び（ｅ）〜（ｇ）はそれぞれテント開及び閉時の（ａ）の▲１▼〜▲３▼の断面図である。
【図４】（ａ）及び（ｂ）は上記テント装置の車輪部分の断面図及び側面図である。
【図５】（ａ）及び（ｂ）は上記テント装置の先頭材の平面図及び側面図である。
【図６】上記テント装置の移動機構の概略を示す説明図である。
【図７】（ａ）は取付部材の安定性の説明図で、（ｂ）は復元用部材を備えない取付部材の車輪の説明図である。
【図８】従来の移動式テント装置のテント取付部材の一例を示す斜視図である。
【符号の説明】
１              テント
２              取付部材
３              車輪
１０            レール（固定構造物）
１１            頂部（被取付部）
１２            谷部（底部分）
２１            上梁（テント取付部）
２１ａ          テント取付部
２１ｂ          張出部
２２            斜材（復元用部材）
２３            下梁（復元用部材）
１００          倉庫（固定構造物）
４００          固定トラス（固定構造物）
Ｄ              間隔
Ｏ              長さ方向の中心
Ｐ１              上位置（上側位置）
Ｐ２              下位置（下側位置）
Ｘ              長さ方向
Ｙ              幅方向
Ｚ１              下向き
【図１】
2004308333.tif 000003
【図２】
2004308333.tif 000004
【図３】
2004308333.tif 000005
【図４】
2004308333.tif 000006
【図５】
2004308333.tif 000007
【図６】
2004308333.tif 000008
【図７】
2004308333.tif 000009
【図８】
2004308333.tif 000010